(57)【要約】【課題】地上でＰＣ鋼材をシース管に挿入して、またはシース管を使用せずに、ＰＣ鋼材を杭孔内に配置して緊張することによって、上記不具合を解消できる、プレストレスを導入する場所打ちコンクリート杭の施工法を提供する。【解決手段】  ＰＣ鋼材２をシース管３に挿入し、シース管３内に硬化遅延グラウトＧを注入しておき、このシース管３に挿入したＰＣ鋼材２を杭孔内に配置し、杭孔内に打設したコンクリートＣがプレストレスを導入するのに十分な強度を発現した後、ＰＣ鋼材２を緊張し、硬化遅延グラウトＧが硬化した後、ＰＣ鋼材２の緊張を解除するので、シース管３内へのＰＣ鋼材２の挿入、グラウト材の注入が容易であり、コンクリートＣにプレストレスを容易に導入でき、よって、ＰＣ鋼材２の地中に設置されたシース管３への挿入による従来の不具合を解消できる。【選択図】図１
2005200930.tif 000002
【特許請求の範囲】
【請求項１】
プレストレスを導入する場所打ちコンクリート杭を施工する方法であって、
ＰＣ鋼材をシース管に挿入し、シース管内に硬化遅延グラウトを注入しておき、
このシース管に挿入したＰＣ鋼材を杭孔内に配置し、
次に、杭孔内にコンクリートを打設し、このコンクリートがプレストレスを導入するのに十分な強度を発現した後、前記ＰＣ鋼材を緊張し、
前記硬化遅延グラウトが硬化した後、前記ＰＣ鋼材の緊張を解除することを特徴とする場所打ちコンクリート杭の施工法。
【請求項２】
プレストレスを導入する場所打ちコンクリート杭を施工する方法であって、
ＰＣ鋼材をシース管に挿入し、シース管内に硬化遅延グラウトを注入しておき、
このシース管に挿入したＰＣ鋼材を杭孔内に配置し、
次に、杭孔内にコンクリートを打設し、このコンクリートがプレストレスを導入するのに十分な強度を発現した後、前記ＰＣ鋼材を緊張して、このＰＣ鋼材の上端部を前記コンクリートの上端部または上部構造物に定着具を用いて定着することを特徴とする場所打ちコンクリート杭の施工法。
【請求項３】
プレストレスを導入する場所打ちコンクリート杭を施工する方法であって、
ＰＣ鋼材の周囲にコンクリート硬化遅延材を塗布しておき、
このコンクリート硬化遅延材を塗布したＰＣ鋼材を杭孔内に配置し、
次に、杭孔内にコンクリートを打設し、このコンクリートのうち、前記ＰＣ鋼材周囲のコンクリートＣを除くコンクリートがプレストレスを導入するのに十分な強度を発現した後、前記ＰＣ鋼材を緊張し、
前記ＰＣ鋼材周囲のコンクリートが硬化した後、前記ＰＣ鋼材の緊張を解除することを特徴とする場所打ちコンクリート杭の施工法。
【請求項４】
プレストレスを導入する場所打ちコンクリート杭を施工する方法であって、
ＰＣ鋼材の周囲にコンクリート硬化遅延材を塗布しておき、
このコンクリート硬化遅延材を塗布したＰＣ鋼材を杭孔内に配置し、
次に、杭孔内にコンクリートを打設し、このコンクリートのうち、前記ＰＣ鋼材周囲のコンクリートを除くコンクリートがプレストレスを導入するのに十分な強度を発現した後、前記ＰＣ鋼材を緊張して、このＰＣ鋼材の上端部を前記コンクリートの上端部または上部構造物に定着具を用いて定着することを特徴とする場所打ちコンクリート杭の施工法。
【請求項５】
コンクリート硬化遅延材を塗布したＰＣ鋼材を被覆材で覆い、この被覆材で覆ったＰＣ鋼材を杭孔内に配置することを特徴とする請求項３または４に記載の場所打ちコンクリート杭の施工法。
【請求項６】
予めコンクリート硬化遅延材を含浸させた含浸被覆材でＰＣ鋼材を覆うことにより、ＰＣ鋼材の周囲にコンクリート硬化遅延材を塗布することを特徴とする請求項３または４に記載の場所打ちコンクリート杭の施工法。
【発明の詳細な説明】
【技術分野】
【０００１】
本発明は、プレストレスを導入する場所打ちコンクリート杭の施工法に関する。
【背景技術】
【０００２】
従来、プレストレスを導入する場所打ちコンクリート杭の施工法の一例として特許文献１に記載の技術が考えられている。
この技術は、途中を折り返してＵ字状に形成したシース管の、このＵ字状の折り返し部がコンクリート杭の杭底に位置するように掘削孔内にシース管をセットし、掘削孔にコンクリート打設後、引張り材（ＰＣ鋼材）をシース管内に挿入し、グラウト材もシース管に注入し、そして、引張り材を緊張するというものである。このように、シース管内へ引張り材を配設し、引張り材を緊張することにより、杭全体に均等にプレストレスを導入する。
【特許文献１】特開平９−１１１７５９号公報
【発明の開示】
【発明が解決しようとする課題】
【０００３】
ところが、上記のような従来のプレストレスを導入する場所打ちコンクリート杭の施工法では、特に、ＰＣ鋼材が長くなると、地中に設置されて見えない状態でＰＣ鋼材をシース管に挿入することとなるため、このＰＣ鋼材をシース管内に挿入するのに手間がかかる。例えば、上記のように、シース管がＵ字形に配置された場合などは、ＰＣ鋼より線等の引張り材がシース管内で引っ掛かり易く、ＰＣ鋼より線等の引張り材の挿入にさらに手間がかかる。
また、シース管内にグラウト材を注入し忘れたり、注入しても内部に気泡等が残り、グラウト材をシース管内に隙間なく充填するのが困難である。
【０００４】
本発明は上記事情に鑑みてなされたものであり、地上でＰＣ鋼材をシース管に挿入して、またはシース管を使用せずに、ＰＣ鋼材を杭孔内に配置して緊張することによって、上記不具合を解消できる、プレストレスを導入する場所打ちコンクリート杭の施工法を提供することを課題としている。
【課題を解決するための手段】
【０００５】
上記課題を解決するために、請求項１に記載の発明は、例えば図１に示すように、プレストレスを導入する場所打ちコンクリート杭を施工する方法であって、ＰＣ鋼材２をシース管３に挿入し、シース管３内に硬化遅延グラウトＧを注入しておき、このシース管３に挿入したＰＣ鋼材２を杭孔内に配置し、次に、杭孔内にコンクリートＣを打設し、このコンクリートＣがプレストレスを導入するのに十分な強度を発現した後、前記ＰＣ鋼材２を緊張し、前記硬化遅延グラウトＧが硬化した後、前記ＰＣ鋼材２の緊張を解除することを特徴とする。
【０００６】
請求項１に記載の発明によれば、ＰＣ鋼材２をシース管３に挿入し、シース管３内に硬化遅延グラウトＧを注入しているので、シース管３周囲のコンクリートＣがプレストレスを導入するのに十分な強度を発現した際には、ＰＣ鋼材２周囲の硬化遅延グラウトＧは硬化しておらず緊張力の導入が可能である。したがって、この状態でＰＣ鋼材２を緊張し、ＰＣ鋼材２周囲の硬化遅延グラウトＧが硬化することによって、その周囲のコンクリートＣと一体化する。その後、ＰＣ鋼材２の緊張を解除することによって、コンクリートＣにプレストレスを導入することができる。
このように、本発明では、シース管３内へのＰＣ鋼材２の挿入、グラウト材の注入が容易であるため、このＰＣ鋼材２を容易に配置して緊張することができ、ＰＣ鋼材２の地中に設置されたシース管３への挿入による従来の不具合を解消できる。
【０００７】
請求項２に記載の発明は、例えば図１に示すように、プレストレスを導入する場所打ちコンクリート杭を施工する方法であって、ＰＣ鋼材２をシース管３に挿入し、シース管３内に硬化遅延グラウトＧを注入しておき、このシース管３に挿入したＰＣ鋼材２を杭孔内に配置し、次に、杭孔内にコンクリートＣを打設し、このコンクリートＣがプレストレスを導入するのに十分な強度を発現した後、前記ＰＣ鋼材２を緊張して、このＰＣ鋼材２の上端部を前記コンクリートＣの上端部または上部構造物１０に定着具７を用いて定着することを特徴とする。
【０００８】
請求項２に記載の発明によれば、請求項１の場合と同様に、ＰＣ鋼材２をシース管３に挿入し、シース管３内に硬化遅延グラウトＧを注入しているので、シース管３周囲のコンクリートＣがプレストレスを導入するのに十分な強度を発現した際には、ＰＣ鋼材２周囲の硬化遅延グラウトＧは硬化しておらず緊張力の導入が可能である。したがって、この状態でＰＣ鋼材２を緊張して、このＰＣ鋼材２の端部を前記コンクリートＣの上端部に定着具を用いて定着することによってプレストレスを導入でき、ＰＣ鋼材２周囲の硬化遅延グラウトＧが硬化することによって、その周囲のプレストレスを導入したコンクリートＣと一体化する。
このように、本発明では、シース管３内へのＰＣ鋼材２の挿入、グラウト材の注入が容易であるため、このＰＣ鋼材２を容易に配置して緊張することができ、ＰＣ鋼材２のシース管３への挿入による従来の不具合を解消できる。
【０００９】
請求項３に記載の発明は、プレストレスを導入する場所打ちコンクリート杭を施工する方法であって、ＰＣ鋼材２の周囲にコンクリート硬化遅延材Ｋを塗布しておき、このコンクリート硬化遅延材Ｋを塗布したＰＣ鋼材２を杭孔内に配置し、次に、杭孔内にコンクリートＣを打設し、このコンクリートＣのうち、前記ＰＣ鋼材２周囲のコンクリートＣを除くコンクリートＣがプレストレスを導入するのに十分な強度を発現した後、前記ＰＣ鋼材２を緊張し、前記ＰＣ鋼材２周囲のコンクリートＣが硬化した後、前記ＰＣ鋼材２の緊張を解除することを特徴とする。
【００１０】
請求項３に記載の発明によれば、コンクリート硬化遅延材Ｋを塗布したＰＣ鋼材２を使用しているので、ＰＣ鋼材２周囲のコンクリートＣを除くコンクリートＣがプレストレスを導入するのに十分な強度を発現した際には、ＰＣ鋼材２周囲のコンクリートＣは硬化しておらず緊張力の導入が可能である。したがって、この状態でＰＣ鋼材２を緊張し、ＰＣ鋼材２周囲のコンクリートＣが硬化することによって、その周囲のコンクリートＣと一体化する。その後、ＰＣ鋼材２の緊張を解除することによって、コンクリートＣにプレストレスを導入できる。
このように、本発明ではシース管３を使用しないので、ＰＣ鋼材２を容易に配置して緊張することができ、シース管３の存在による従来の不具合を解消できる。
【００１１】
請求項４に記載の発明は、プレストレスを導入して場所打ちコンクリート杭を施工する方法であって、ＰＣ鋼材２の周囲にコンクリート硬化遅延材Ｋを塗布しておき、このコンクリート硬化遅延材Ｋを塗布したＰＣ鋼材２を杭孔内に配置し、次に、杭孔内にコンクリートＣを打設し、このコンクリートＣのうち、前記ＰＣ鋼材２周囲のコンクリートＣを除くコンクリートＣがプレストレスを導入するのに十分な強度を発現した後、前記ＰＣ鋼材２を緊張して、このＰＣ鋼材２の上端部を前記コンクリートＣの上端部または上部構造物１０に定着具７を用いて定着することを特徴とする。
【００１２】
請求項４に記載の発明によれば、請求項３の場合と同様に、コンクリート硬化遅延材Ｋを塗布したＰＣ鋼材２を使用しているので、ＰＣ鋼材２周囲のコンクリートＣを除くコンクリートＣがプレストレスを導入するのに十分な強度を発現した際には、ＰＣ鋼材２周囲のコンクリートＣは硬化しておらず緊張力の導入が可能である。したがって、この状態でＰＣ鋼材２を緊張して、このＰＣ鋼材２の端部を前記コンクリートＣの端部に定着具を用いて定着すことによってプレストレスを導入でき、ＰＣ鋼材２周囲のコンクリートＣは硬化することによって、その周囲のプレストレスを導入したコンクリートＣと一体化する。
このように、本発明ではシース管３を使用しないので、ＰＣ鋼材２を容易に配置して緊張することができ、シース管３の存在による従来の不具合を解消できる。
【００１３】
請求項５に記載の発明は、請求項３または４に記載の場所打ちコンクリート杭の施工法において、コンクリート硬化遅延材Ｋを塗布したＰＣ鋼材２を被覆材４で覆い、この被覆材４で覆ったＰＣ鋼材２を杭孔内に配置することを特徴とする。
【００１４】
ここで、前記被覆材４としては、例えば薄くて可撓性を有する布や紙等が好適であるが、コンクリート硬化遅延材Ｋを塗布したＰＣ鋼材２の周囲を被覆できればどのようなものでもよい。
【００１５】
請求項５に記載の発明によれば、コンクリート硬化遅延材Ｋを塗布したＰＣ鋼材２を被覆材４で覆い、この被覆材４で覆ったＰＣ鋼材２を杭孔内に配置するので、杭孔内にコンクリートＣを打設する際に、被覆材４によってコンクリート硬化遅延材Ｋが流失するのを防止できる。
【００１６】
請求項６に記載の発明は、請求項３または４に記載の場所打ちコンクリート杭の施工法において、予めコンクリート硬化遅延材Ｋを含浸させた含浸被覆材５でＰＣ鋼材２を覆うことにより、ＰＣ鋼材２の周囲にコンクリート硬化遅延材Ｋを塗布することを特徴とする。
【００１７】
ここで、含浸被覆材５としては、例えば布が好適であるが、コンクリート硬化遅延材Ｋを含浸させることができるものであればどのようなものでもよい。
【００１８】
請求項６に記載の発明によれば、予めコンクリート硬化遅延材Ｋを含浸させた含浸被覆材５でＰＣ鋼材２を覆うので、ＰＣ鋼材２の周囲にコンクリート硬化遅延材Ｋを容易に塗布できるとともに、杭孔内にコンクリートＣを打設する際に、含浸被覆材５によってコンクリート硬化遅延材Ｋが流失するのを防止できる。
【発明の効果】
【００１９】
請求項１または２に記載の発明によれば、ＰＣ鋼材をシース管に挿入し、シース管内に硬化遅延グラウトを注入しておき、このシース管に挿入したＰＣ鋼材を杭孔内に配置し、杭孔内に打設したコンクリートがプレストレスを導入するのに十分な強度を発現した後、ＰＣ鋼材を緊張し、硬化遅延グラウトが硬化した後、ＰＣ鋼材の緊張を解除したり、または、緊張したＰＣ鋼材の上端部を前記コンクリートの上端部または上部構造物に定着具を用いて定着するので、シース管内へのＰＣ鋼材の挿入、グラウト材の注入が容易であり、コンクリートにプレストレスを容易に導入できる。したがって、ＰＣ鋼材の地中に設置されたシース管への挿入による従来の不具合を解消できる。
【００２０】
請求項３または４に記載の発明によれば、コンクリート硬化遅延材を塗布したＰＣ鋼材を杭孔内に配置し、杭孔内に打設したコンクリートのうち、ＰＣ鋼材周囲のコンクリートを除くコンクリートがプレストレスを導入するのに十分な強度を発現した後、ＰＣ鋼材を緊張し、ＰＣ鋼材周囲のコンクリートが硬化した後、ＰＣ鋼材の緊張を解除したり、または、緊張したＰＣ鋼材の端部を前記コンクリートの端部に定着具を用いて定着するので、シース管を用いることなく、コンクリートにプレストレスを容易に導入できる。したがって、シース管の存在による従来の不具合を解消できる。
【００２１】
また、請求項５または６記載の発明によれば、コンクリート硬化遅延材を塗布したＰＣ鋼材を被覆材で覆ったり、予めコンクリート硬化遅延材を含浸させた含浸被覆材でＰＣ鋼材を覆うことによって、杭孔内にコンクリートを打設する際に、コンクリート硬化遅延材が流失するのを防止できる。
【発明を実施するための最良の形態】
【００２２】
以下、図を参照して本発明を実施するための最良の形態を詳細に説明する。
〔第１の実施の形態〕
図１は、本発明の第１の実施の形態に係る場所打ちコンクリート杭１の施工法によって施工したプレストレスを導入した場所打ちコンクリート杭１を示す縦断面図、図２は同横断面図である。
【００２３】
まず、図４に示すように、複数のＰＣ鋼材２をシース管３に挿入し、シース管３内に硬化遅延グラウトＧを注入しておく。このとき、図１に示すように、ＰＣ鋼材２の両端部の所定範囲を、シース管３及び硬化遅延グラウトＧで覆わずに露出した状態にし、ＰＣ鋼材２の下端部には定着具を取り付ける。また、シース管３の両端部は、注入した硬化遅延グラウトＧが漏出しないように両端部を閉塞する。なお、ＰＣ鋼材２の露出範囲やシースの被覆範囲は、場所打ちコンクリート杭１の設計強度等を考慮して決定する。
【００２４】
次に、図１に示すように、シース管３に挿入したＰＣ鋼材２を所定深さまで掘削された杭孔内に円形状に配置する。杭孔内には、予め、杭軸平行方向の補強鋼材８、円形あるいはスパイラル状の補強鋼材８が配置されている。なお、この補強鋼材８は、設計条件等により適宜省略可能である。また、図３（ａ）に示すように、これらの補強鋼材８をＰＣ鋼材２の内側に配置してもよい。
そして、ＰＣ鋼材２の上端部を、クレーンや架台等で仮固定して、ＰＣ鋼材２を杭孔内に鉛直に保持する。
【００２５】
次に、杭孔内にコンクリートＣを打設する。このとき、ＰＣ鋼材２は、シース管３内に硬化遅延グラウトＧが注入されており、ある程度の重量を有しているため、コンクリートＣの打設を行っても、その位置を保つことができる。
【００２６】
次に、打設したコンクリートＣがプレストレスを導入するのに十分な強度を発現した後、ＰＣ鋼材２の下端部の露出部分及び定着具６によってコンクリートＣに定着され、シース管３の被覆部分は、ＰＣ鋼材２とコンクリートＣが定着されていない状態を維持する。
【００２７】
ＰＣ鋼材２の下端部が定着された後、ＰＣ鋼材２をジャッキによって緊張するとともに、ジャッキによって緊張した状態を保持しておくか、あるいはＰＣ鋼材２の上端部を定着具７によって構築された上部構造物１０に定着する。
つまり、ＰＣ鋼材２の周囲は硬化遅延グラウトＧで覆われているので、この硬化遅延グラウトＧが硬化しておらず緊張力の導入が可能である。したがって、ＰＣ鋼材２の周囲の硬化遅延グラウトＧの硬化前にＰＣ鋼材２をジャッキによって緊張する。
【００２８】
次に、ＰＣ鋼材２周囲の硬化遅延グラウトＧが硬化した後、ジャッキを外してＰＣ鋼材２の緊張を解除するか、あるいはそのまま定着具７によって定着しておく。
これによって、コンクリートＣにプレストレスを導入した場所打ちコンクリート杭１の施工を終了する。
【００２９】
このように本実施の形態によれば、ＰＣ鋼材２をシース管３に挿入し、シース管３内に硬化遅延グラウトＧを注入しているので、シース管３の周囲のコンクリートＣがプレストレスを導入するのに十分な強度を発現した際には、ＰＣ鋼材２の周囲の硬化遅延グラウトＧは硬化しておらず緊張力の導入が可能である。したがって、この状態でＰＣ鋼材２を緊張し、ＰＣ鋼材２の周囲の硬化遅延グラウトＧが硬化することによって、その周囲のコンクリートＣと一体化する。その後、ＰＣ鋼材２の緊張を解除したり、または、緊張したＰＣ鋼材２の上端部を上部構造物１０に定着具７を用いて定着することによって、コンクリートＣにプレストレスを導入できる。
このように、本実施の形態では、シース管３内へのＰＣ鋼材２の挿入、グラウト材の注入が容易であるため、このＰＣ鋼材２を容易に配置して緊張することができ、ＰＣ鋼材２の地中に設置されたシース管３への挿入による従来の不具合を解消できる。
【００３０】
〔第２の実施の形態〕
次に、本発明の第２の実施の形態について説明する。本実施の形態は、プレストレスを導入する場所打ちコンクリート杭を施工するにあたり、シース管３を用いずに行う方法である。図５は、本発明の第２の実施の形態に係る場所打ちコンクリート杭の施工に用いられるＰＣ鋼材２を示す部分横断面図である。
【００３１】
まず、図５（ａ）に示すように、複数のＰＣ鋼材２の周囲にコンクリート硬化遅延材Ｋを塗布しておく。このとき、ＰＣ鋼材２の両端部の所定範囲を、コンクリート硬化遅延材Ｋを塗布せずに露出された状態にし、ＰＣ鋼材２の下端部には定着具を取り付ける。この場合、ゼリー状のコンクリート硬化遅延材Ｋを塗布したＰＣ鋼材２全体を布や紙等の被覆材４で覆う。なお、ＰＣ鋼材２の露出範囲やコンクリート硬化遅延材Ｋの塗布範囲は、場所打ちコンクリート杭の設計強度等を考慮して決定する。
【００３２】
次に、第１の実施の形態と同様に、この被覆材４で覆ったＰＣ鋼材２を杭孔内に配置し、仮固定する。
【００３３】
次に、杭孔内にコンクリートＣを打設する。コンクリート硬化遅延材Ｋを塗布したＰＣ鋼材２は被覆材４で覆われて保護されているので、コンクリートＣ打設に伴って、コンクリート硬化遅延材Ｋが流失するのを防止でき、ＰＣ鋼材２の周囲はコンクリート硬化遅延材Ｋで覆われている。
【００３４】
次に、打設したコンクリートＣのうち、ＰＣ鋼材２の周囲のコンクリートＣを除くコンクリートＣがプレストレスを導入するのに十分な強度を発現した後、ＰＣ鋼材２の下端部の露出部分及び定着具６によってコンクリートＣに定着され、コンクリート硬化遅延材Ｋの塗布部分は、ＰＣ鋼材２とコンクリートＣが定着されていない状態を維持する。
【００３５】
ＰＣ鋼材２の下端部が定着された後、ＰＣ鋼材２をジャッキによって緊張するとともに、ジャッキによって緊張した状態を保持しておくか、あるいはＰＣ鋼材２の上端部を定着具７によって構築された上部構造物１０に定着する。
つまり、ＰＣ鋼材２の周囲はコンクリート硬化遅延材Ｋで覆われているので、このコンクリート硬化遅延材Ｋと混ざったコンクリートＣは硬化が遅延されて硬化しておらず緊張力の導入が可能である。したがって、コンクリート硬化遅延材Ｋと混ざったＰＣ鋼材２の周囲のコンクリートＣの硬化前にＰＣ鋼材２をジャッキによって緊張する。
【００３６】
次に、ＰＣ鋼材２周囲のコンクリートＣ、つまりコンクリート硬化遅延材Ｋと混ざったコンクリートＣが硬化した後、ジャッキを外してＰＣ鋼材２の緊張を解除するか、あるいはそのまま定着具７によって定着しておく。
これによって、コンクリートＣにプレストレスを導入した場所打ちコンクリート杭の施工を終了する。
【００３７】
このように本実施の形態によれば、コンクリート硬化遅延材Ｋを塗布したＰＣ鋼材２を使用しているので、ＰＣ鋼材２の周囲のコンクリートＣを除くコンクリートＣがプレストレスを導入するのに十分な強度を発現した際には、ＰＣ鋼材２の周囲のコンクリートＣは硬化しておらず緊張力の導入が可能である。したがって、この状態でＰＣ鋼材２を緊張し、ＰＣ鋼材２の周囲のコンクリートＣが硬化することによって、その周囲のコンクリートＣと一体化する。その後、ＰＣ鋼材２の緊張を解除したり、または、緊張したＰＣ鋼材２の上端部を上部構造物に定着具７を用いて定着することによって、コンクリートＣにプレストレスを導入できる。
このように、本実施の形態ではシース管３を使用しないので、ＰＣ鋼材２を容易に配置して緊張することができ、シース管３の存在による従来の不具合を解消できる。
【００３８】
なお、本実施の形態では、図５（ａ）に示すようにゼリー状のコンクリート硬化遅延材Ｋを塗布したＰＣ鋼材２全体を布等の被覆材４で覆うようにしたが、これに代えて、図５（ｂ）に示すように、予めコンクリート硬化遅延材Ｋを含浸させた含浸被覆材５でＰＣ鋼材２を覆うことによって、ＰＣ鋼材２の周囲にコンクリート硬化遅延材Ｋを塗布してもよい。このようにすれば、ＰＣ鋼材２の周囲にコンクリート硬化遅延材Ｋを容易に塗布できるとともに、型枠の内側にコンクリートＣを打設する際に、含浸被覆材５によってコンクリート硬化遅延材Ｋが流失するのを防止できる。
【００３９】
また、以上の実施の形態において、ＰＣ鋼材２を円形状に配置したが、ＰＣ鋼材２の配置は任意であり、例えば図３（ｂ）に示すように、杭の中央に配置してもよい。ＰＣ鋼材２の上端部の定着具７による定着においても、構築された上部構造物１０に定着することとしたが、場所打ちコンクリート杭の強度を発現した後のコンクリートＣの上端部に定着してもよい。さらに、定着具７を用いずに、ＰＣ鋼材２を折り曲げて定着を行ってもよい。その他、具体的な細部構造等についても適宜に変更可能であることは勿論である。
【図面の簡単な説明】
【００４０】
【図１】第１の実施の形態におけるプレストレスを導入する場所打ちコンクリート杭１の施工によって施工された場所打ちコンクリート杭の縦断面図である。
【図２】図１における場所打ちコンクリート杭の横断面図である。
【図３】第１の実施の形態において、ＰＣ鋼材の別の配置を示す横断面図である。
【図４】第１の実施の形態における場所打ちコンクリート杭のＰＣ鋼材回りの部分横断面図であり、シース管にＰＣ鋼材を挿入し、シース管内に硬化遅延グラウトを注入した状態を示すものである。
【図５】第２の実施の形態におけるプレストレスを導入する場所打ちコンクリート杭の施工によって施工された場所打ちコンクリート杭の部分横断面図であり、（ａ）はコンクリート硬化遅延材を塗布したＰＣ鋼材を被覆材で覆った状態を示す断面図、（ｂ）はコンクリート硬化遅延材を含浸させた含浸被覆材でＰＣ鋼材を覆った状態を示す断面図である。
【符号の説明】
【００４１】
１  場所打ちコンクリート杭
２  ＰＣ鋼材
３  シース管
４  被覆材
５  含浸被覆材
６、７  定着具
８  補強鋼材
１０  上部構造物
Ｃ  コンクリート
Ｇ  硬化遅延グラウト
Ｋ  コンクリート硬化遅延材
【図１】
2005200930.tif 000003
【図２】
2005200930.tif 000004
【図３】
2005200930.tif 000005
【図４】
2005200930.tif 000006
【図５】
2005200930.tif 000007